(57)【要約】【課題】施錠・開錠機構を制御するように取り付けられたノブを有する改良された組み合わせ錠を提供すること。【解決手段】組み合わせ錠は、移動可能にケーシングに受け入れられた複数のボタンと、ケーシングに回転可能の受け入れられたノブとを有する。特定のボタンが押し下げられるとき、ノブを第１位置から第２位置へ回すと、下方へ動いたボタン中のボールが、フレームの当接面によりボタン内の制限孔内に制限される。ノブの第３位置への回転は、押されたボタンのピンを縦溝内に固定し、制限する。復帰ロッドを押すとき、アーム受けに受けられたアームを解除することができる。ローターと本体との組立体に関してのコアのみの解除は、ロッカーの次の使用の準備のために元の位置へすべてのピンを戻すように第２ブロックを動かすことができる。【選択図】図１
0003120196.tif 000002
【実用新案登録請求の範囲】
【請求項１】
ケーシング（１）と、
前記ケーシングに移動可能に受け入れられた復帰座（２）と、
前記ケーシングに直線的に移動可能に受け入れられた制限座（４）であって該制限座の相対する両側に形成された横溝（４３）と該横溝を二分するように前記制限座の相対する両側に形成された縦溝（４２）とを有する制限座（４）と、
前記制限座に関して選択的に移動可能のフレーム（３）と、
前記ケーシングに選択的にかつ移動可能に受け入れられ、前記制限座に作動的に連結され、またそれぞれがピン（５８１）を有する複数のボタン（５）と、
前記ケーシング内において第１位置、第２位置及び第３位置に回転可能に受け入れられるノブ（６）とを含み、
前記ノブはローター（６１）と本体（６２）の結合体と、該結合体に選択的に連結されたコア（６３）とを有し、
前記ローターと本体の結合体は、動いたボタンの位置を固定すべく第１の位置から第２の位置へ制限座を選択的に移動させるための第１ブロック（６２１）を有し、
前記コアは、動いたボタンが固定されたとき組み合わせ錠が施錠位置にあり、また前記ボタンが解除されたとき組み合わせ錠が解錠状態にあるように、動いたボタンを解除すべく前記制限座に関して前記フレームを選択的に移動させるように前記コアに一体に形成された第２ブロック（６３２）を有し、
第１ばね（１２）が、動いたボタンに弾性力を及ぼすために、該ボタンと前記ケーシングの当接面との間に受け入れられており、
第１複座ばね（２１２）が、復帰座の移動後に該復帰座を元の位置に戻すために、前記ケーシングの側面と前記復帰座との間に受け入れられており、
第２複座ばね（３５）が、フレームの移動後に該フレームを元の位置に戻すために、前記ケーシングの側面と前記フレームとの間に受け入れられおり、
第３複座ばね（４４）が、前記制限座の移動後に該制限座を元の位置に戻すために、前記ケーシングの側面と前記制限フレームとの間に受け入れられており、
各ボタンは、ブロック（５４）から２つの異なる方向へ伸びる円柱（５３）と、該円柱の下半部に形成されたチャンネル（５５）と、該チャンネルと連通するように前記円柱の下半部の側面に形成された開口（５６）と、該開口の反対側の側面に形成された制限孔であって前記ボールが前記制限孔の内外に動けるように前記チャンネルと連通する制限孔（５４１）と、前記チャンネルに設けられたストッパー（５８）であって該ストッパーと前記ボールとの間の第４複座ばね（５７１）を前記チャンネルの内側に受け入れるように該チャンネルの底部開口を閉じるストッパー（５８）とを有し、
前記復帰座はこれにしっかり受け入れられた多数のアーム（２１４）を有し、各アームは前記ボタンの周囲に対応しかつこれに当たり、その結果ボタンが第１位置から第２位置へ前記ケーシングに関して下方へ押された後、下方へ押されたボタンに対応する前記アームの自由端は、それぞれが下方へ押されたボタンを前記第２位置に保持するように、下方へ押されたボタンに形成されているアーム受け（５３２）に受けられ、
さらに前記ブロックが前記制限座を前記フレームに対して動かすことができるように前記ローターが回転された後、前記第２の位置にある前記ボタンを前記第１位置に戻すように前記アーム受け（５３２）の制限からアーム（２１４）を解除する解除手段を含み、
前記解除手段は、前記第１ブロック（６２１）の側面に形成された凹所（６２２）と、前記制限座の前部に形成された頭部（４１）とを含み、該頭部が前記凹所に受け入れられたとき、押された前記ボタンが前記第２位置にあり、また前記頭部が前記凹所から離れているとき、押された前記ボタンが第１位置にある、組み合わせ錠。
【請求項２】
前記制限座は、該制限座の相対する両側面に形成された多数の縦溝（４２）と、該縦溝を二分するように前記制限座の相対する両側面に形成された複数の横溝（４３）とを有し、前記フレームは、前記ボールを前記制限孔内に制限するように前記フレームの相対する２つの内側面に形成された面（３４）と、前記ボールが前記制限孔の外に出ることができるように２つの隣接する面間に形成された切欠（３３）とを有し、
前記ノブが第１位置にあるとき、前記ボタンのノブ（５８１）は、横溝４３内に配置されかつ制限され、横溝（４３）と縦溝（４２）との継ぎ目から離れ、前記ボールは、前記フレームの切欠（３３）内に受け入れられるように制限孔（５４１）の外に出ることができ、その結果前記ボタンは前記第１位置から前記第２位置へ移動することができ、
前記ノブが第２位置にあるとき、前記ボタンのピン（５８１）は、前記フレームに対する前記第１ブロックによる前記制限座の運動の結果として、縦溝（４２）と横溝（４３）との継ぎ目にあり、
前記ノブが第３の位置にあるとき、下方に動いたボタンに対応するピン（５８１）は、組み合わせ錠の数列が設定されるように、第４複座ばね（５７１）により縦溝（４２）へ移動され、
前記復帰座に作動的に連結するように前記ケーシングに移動可能に受け入れられた復帰ロッド（７）が設けられており、前記ボタンが前記第１位置から第２位置へ移動されたとき、前記復帰ロッドは第１位置から第２位置へ前記復帰座を移動させ、また前記アームを前記下方へ動いたボタンから解除することができ、
前記復帰座はくさび形凹所（２１５）を有し、前記復帰ロッドはその自由端に形成されたくさび形頭部（７１）を有し、該くさび形頭部と前記くさび形凹所との係合は前記復帰座を移動させる、請求項１に記載の組み合わせ錠。
【請求項３】
前記コアを前記ローターと前記本体との結合体から分離すべく、前記コア中に選択的に差し込まれるマスターキー（６４）を含み、該マスターキーの差込は前記コア及び前記ブロックを回転させることを可能にし、押されたボタンに受け入れられた第４複座ばねからのばね力により縦溝と横溝との間の前記継ぎ目に、縦溝内に制限されていたピンを戻すように、制限座に関して前記フレームを前記第２ブロックが移動させることを可能にする、請求項２に記載の組み合わせ錠。
【考案の詳細な説明】
【技術分野】
【０００１】
本考案は、組み合わせ錠に関し、特に施錠機構を施錠又は開錠するように回転可能に取り付けられたノブを有する組み合わせ錠に関する。
【背景技術】
【０００２】
駅、スーパーマーケット、商店街のような公の場には、多くの貯蔵ボックスすなわちロッカーが使用者の所持品の一時的な保管のために設置されている。この種のロッカーは、通常、ロッカーのキーが紛失し又は何らかの理由で特定のロッカーのキーが失われたとき、管理者が操作する組み込み式の開錠機構を有する。しかし、管理者がすべての使用者のロッカーを監視する方法はないため、使用者はロッカーを借りたとき又はその後にロッカーのキーを複写するかもしれない。そして、不正使用者はロッカーの開けるために複写したキーを使用し、ロッカー内の物を盗むかもしれない。
【考案の開示】
【考案が解決しようとする課題】
【０００３】
本考案は上記の問題を軽減する改良された錠を提供する。
【０００４】
本考案の主な目的は、組み合わせ錠であって、該錠の施錠・開錠機構を制御するように取り付けられたノブを有する改良された組み合わせ錠を提供する。前記ノブは一連の組み合わせ数及びマスターキーによって制御される。したがって、開錠へのどんな組み合わせが設定されても、管理者は、常に、施錠機構を再設定するようにマスターキーを使用し、次の使用に備えるように施錠機構を元の状態に再設定すべく施錠機構を復帰させることができる。
【課題を解決するための手段】
【０００５】
上記の目的を達成するために、本考案に係る錠は、ケーシングに関して直線的に可動の、復帰座returning seatに移動可能に取り付けられた複数のボタンと、前記ケーシングに移動可能に受け入れられ、かつ前記ボタンに作動的に連結された制限座limiting seatと、前記ケーシングに回転可能に取り付けられ、前記制限座及び前記復帰座に選択的に移動するように複数のボスを有するノブとを含む。したがって、ノブが前記制限座と復帰座とを第１位置から第２位置へ移動させるべく第１ボスを圧して第１方向へ回転された後、ボタンが第１位置から第２位置へ押し下げられるとき、復帰座からのアームはボタンに形成された切欠に受け入れられ、そのボタンは特定のボタンを第２位置に維持するように押される。復帰座と特定のボタンとの係合により、復帰座もまた第２位置に維持される。さらに、第１方向とは反対の第２方向へノブを回転するとき、制限座はその第１位置へ、ケーシングと制限座との間に設けられ、ボタンのピンを制限座に関して自由に軸線方向へ移動させるばねの力により復帰させられる。第２ボスによる復帰座の移動の結果として、復帰座からのアームはボタンの切欠から解除される。ピンは次いで制限座により制限され、組み合わせ錠は施錠状態にある。
【０００６】
さらに、特定のボタンが第２位置にあるとき、復帰ロッドを押すとボタンのピンを制限座から開放されるように、復帰ロッドが、ケーシングに移動可能に取り付けられ、かつ復帰座に作動的に連結されている。
【０００７】
さらに、マスターキーがコアを有するノブに適用される。したがって、組み合わせ錠が施錠状態にあるとき、コア内でのマスターキーを回し、第２ボスは復帰座及びフレームを圧し、特定のボタンのピンを元の位置に戻させる。すなわち、組み合わせ錠を次の使用に備えさせる。
【０００８】
本発明の他の目的、新規な特徴及び利益は、添付図当接面を参照してする以下の説明によりさらに明らかとなろう。
【考案を実施するための最良の形態】
【０００９】
図１，２を参照するに、本考案に係る組み合わせ錠は、ケーシング１，復帰座２、フレーム３、制限座４、ボタン５及びノブ６を含む。
【００１０】
ケーシング１は、底部ケーシング部分１０及び該底部ケーシング部分に固定された頂部ケーシング部分１１を含み、両ケーシング部分はそれらの間に復帰座２、フレーム３、制限座４、ボタン５及びノブ６を受け入れるスペースを備える。
【００１１】
復帰座２は、ケーシング１の前記スペース内に移動可能に受け入れられ、ベース２１とカバー２２とから成る。ベース２１は、第１ばね１２にそれぞれ対応するようにベース２１を貫いて設けられた多数の第１孔２１１と、ベース２１の側面とケーシング１の前記スペースを形成する内側面との間に伸びる多数の複座ばね２１２（２つのみ図示）とを有する。復帰座２は、図２Ａにも示されており、ベース２１に形成された複数の座２１３を有する。アーム２１４は座２１３のそれぞれに固定的に設けられており、各アーム２１４の自由端は対応する第１孔２１１を横切って伸びている。カバー２２はベース２１の座２１３に対応するようにカバー２２を貫いて伸びる多数の第２孔２２１を有する。
【００１２】
フレーム３は、Ｕ状であり、その側面に設けられた第１切欠３１と、該第１切欠の底当接面に設けられたロッド３２と、フレーム３の相対する両内側面に設けられた複数の第２切欠３３と、それぞれが隣接する２つの第２切欠３３の間に形成された複数の当接面３４と、ケーシング１の内側面とフレーム３の各端部の外側面との間に配置された複数の複座ばね３５（２つのみ図示）とを含む。
【００１３】
制限座４は、その前部分に頭部４１を備え、該頭部はフレーム３のロッド３２を移動可能に受け入れるように該頭部を貫いて形成された細長いスロット４１１を有する。また、制限座４は、該制限座の相対する２つの側面に形成された複数の縦溝４２と、縦方向通路を分断するように両外側面に形成された複数の横溝４３と、制限座４にばね力を及ぼすように該制限座の後部とケーシング１の内側面との間に配置された第３複座ばね４４とを備える。
【００１４】
各ボタン５は他のボタンと構成が等しく、図２Ｂにはただ１つのボタン５が詳しく示されている。ボタン５は、キャップ５１と、該キャップに部分的に受け入れられる第２ばね５２と、ブロック５４から２つの異なる方向へ伸びる伸長部５３１、第２ばね５２の端部を支持する頂部分及びアーム受け５３２すなわち切欠、伸長部５３１に形成されたチャンネル５５を備える底部分、チャンネル５５と連通する、円柱５３の側面に形成された開口５６を有する円柱５３と、該円柱に運動可能に受け入れられ、ブロック５４の側面に形成された制限孔５４１から張り出すボール５７と、該ボールに当たるようにチャンネル５５内に受け入れられる第４複座ばね５７１と、チャンネル５５内に運動可能に受け入れられる止め具５８であって、該止め具及び開口５６から外方へ伸びるピン５８１を有し、ボール５７及びチャンネル５５の底部開口を覆うべく該チャンネルに受け入れられるプラグ５９を受け入れるように２つの位置決め凹所すなわち第１位置決め凹所５８２及び第２位置決め凹所５８３を備えた止め具５８とを含む。ボタン５の組み立て後、第１ばね１２は止め具５８と底部ケーシング部分１０の頂面との間に挟まれ、円柱５３にばね力すなわち反動力を与える。
【００１５】
ノブ６は、図２Ｃに詳しく示されており、ローター６１と、該ローターに強固に係合し、第１ブロック６２１及び該ブロックの外周に設けられた凹所６２２を有する本体６２とからなる。 ローター６１は第１通路６１１を有し、本体６２は第１通路６１１と連通する第２通路６２３を有する。さらに、ローター６１は本体６２の第２通路６２３中を伸びる伸長部（参照番号なし）を有する。ローター６１のこの伸長部は、該伸長部が本体６２の第２通路６２３に受け入れられた後に前記伸長部の第２通路６２３に対する動きが生じない形状を有する。すなわち、ローター６１が回転されるとき、本体６２も回転される。第１通路６１１と第２通路６２３との連通により、コア６３は第１通路６１１に挿入することができ、コア６３の自由端はローター６１の頂面と同一当接面となる。コア６３は、鍵穴６３１及び本体６２から伸びる伸長部を有し、コア６３の伸長部の外周に形成された第２ブロック６３２を備える。
【００１６】
保護キャップ１３は、図２に示すように、ボタン５の上に配置され、またボタン５に対応する第３孔１３１を有し、各ボタン５は、第３孔１３１の外に伸びることができ、さらにキャップ５１の底部外周にフランジ５１１（図２Ｂ）により保護キャップ１３の下方に保持される。すなわち、フランジ５１１の直径は保護キャップ１３の第３孔１３１の直径より大きい。
【００１７】
さらに、復帰ロッド７が復帰座２に設けられている。復帰ロッド７はその底部に形成されたくさび形の頭部７１と、端部が復帰ロッド７にしっかり当てられる第５複座ばね７２を有する。復帰ロッド７に対応して、復帰座２はくさび形の凹所２１５を備えている。
【００１８】
本考案に係る組み合わせ錠が組み立てられるとき、図１〜２Ｃに示すように、ボタン５の円柱５３の底部分は、復帰座２の頂部に設けられた固定キャップ２１６と、通路２２２と、底部ケーシング１０に受け入れられる第１ばね１２に支持される復帰座２の第１孔２１１とを経て伸びる。その間に、制限座４はフレーム３内に受け入れられ、ロッド３２は制限座４がフレーム３に関して又はその逆に関して可動であるように制限座４の細長いスリット４１１に受け入れられる。その後、保護キャップ１３が、ボタン５の位置を底部ケーシング１０の内側に固定するように、ボタン５の頂部にしっかり取り付けられる。その後、復帰ロッド７とくさび形凹所２１５との間に位置する第５複座ばねにより、復帰ロッド７が保護キャップ１３を経て挿入される。すなわち、復帰ロッド７は、復帰座２により支持される。ノブ６は底部ケーシング１０に挿入され、制限座４の頭部４１は第１ブロック６２１の凹所６２２に受け入れられる。
【００１９】
さらに、復帰座２のための第１複座ばね２１２、フレーム３のための第２複座ばね３５及び制限座４のための第３複座ばね４４は、すべてケーシング１の受け入れスペースの内側の位置に置かれ、それぞれが、復帰座２、フレーム３及び制限座４にばね力を及ぼす。
【００２０】
本考案に係る組み合わせ錠の元の状態を示す図３Ａを参照するに、ボタン５のすべてのピン５８１は、縦溝４３内に受け入れられ、横溝４３と縦溝４２との間の継ぎ目から離れている。また、ボタン５のボール５７は、フレーム３の第２切欠３３に受け入れられている。図示のように、ノブ６は回転体６１に設けられた矢印の表示６４を有し、この表示は、操作者が組み合わせ錠の施錠機構を働かせるように特定の数列を設定することができるリセット段階にある状態を指している。
【００２１】
図３Ｂを参照するに、数の設定の前に、復帰座２のアーム２１４のそれぞれは、各ボタン５のアーム受け５３２を形成する外周部に配置され、一方各ボール５７はボタン５の第２位置決め凹所５８３に受け入れられている。図３Ｃに示すように、ボール５７はボタン５が押される前に第２位置決め凹所５８３内にある。したがって、本考案に係る組み合わせ錠に何らかの数を設定する前に、すべてのピン５８１が横溝４３内に配置され、横溝４３と縦溝４２との継ぎ目から離れるので、ノブ６は、第１ブロック６２１と制限座４の頭部４１との係合の結果としてケーシング１の内側に動かすように制限座４及びフレーム３を強制して自由に回わすことができる。
【００２２】
組み合わせ錠のための数の設定状態において、図４Ａ、４Ｂを参照するに、数列を設定するための元の状態において、ノブ６は、フレームの頭部４１が第１ブロック６２１に隣接し、凹所６２２が頭部４１からはなれている位置にある。いくつかのボタン５がケーシング１に関して押し下げられるとき、下方へ動くボタン５に対応するすべてのアーム２１４は特定のボタン５のアーム受け５３２に受け入れられ、元の位置に比較して下方の位置に押し下げられてボタン５を保持する。その後、ノブ６の反時計方向への、すなわち図４Ｃ、４Ｄに示すように第１位置から第２位置への回転が、頭部４１を凹所６２２内に受け入れさせる。これは、制限座４がフレーム３に対して移動したことを意味する。
【００２３】
制限座４がフレーム３に関して移動したのち、下方へ動いたボタン５に対応するボールを含むすべてのボール５７が、フレーム３の当接面３４により制限孔５４１内に制限され、すべてのピン５８１は横溝４３と縦溝４２との継ぎ目に配置される。そのような状況の下で、使用者は元の状態に数の設定を固定しようとし、数の設定は、ノブ６が第２位置へ回転した後にはすべてのボール５７が制限孔５４１中に押されることにより、変更することができない。すべてのボール５７が当接面３４により制限される結果、ボール５７は、より多くのボタン５がケーシング１に関して押し下げられても、第２位置決め凹所５８３から第１位置決め凹所５８２へ変更することはない。
【００２４】
決定した数の固定状態において、縦溝4２と横溝４３との継ぎ目にすべてのピン５８１が位置し、頭部４１が凹所６２２に受け入れられるようにノブ６が回転された後、ノブ６を再び半時計方向へ、すなわち図４Ｆに示すように第２位置から第3位置へ回すと、ノブ6の第２ブロック６３２が復帰座２の運動を引き起こす。すなわち、第２ブロック６３２は、復帰座２をケーシング１の内側に動かすように復帰座２と係合し、すべてのアーム２１４をアーム受け５３２から解除する。すべてのアーム２１４がアーム受け５３２から解除されたとき、ケーシング１に関して下方へ押されたボタン５のピン５８１は横溝４３上方の縦溝４２の一部中に移動する。その後、組み合わせ錠の数列が設定され、組み合わせ錠はオンの状態となる。
【００２５】
数列が組み合わせ錠のために設定された後、使用者は、ロッカーが必要な駅、バス停、空港、レストランのような場所において個人の所持品の安全を確保するために、組み合わせ錠を使用することができる。すなわち、個人の所持品がロッカーに納められた後、使用者は、第３位置から第２位置に時計方向へ回すことができ、これにより第２ブロック６３２と復帰座２との係合 を解く。その後、図５に示すように、押されたボタン５に対応するピン５８１が縦溝４２の上半分の内側に固定される。
【００２６】
いくつかのボタン５が底部ケーシング１０に関して下方へ押された後に本考案にかかる組み合わせ錠の数列を固定する他の方法を以下に示す。下方に押されたボタン５に対応する復帰座２からのアーム２１４がアーム受け５３２に受け入れられた後、使用者はくさび形頭部７１をくさび形凹所１２１５を形成する外周に当てさせることができ、復帰座２はケーシング１の内側に移動させられ、アーム２１４をこれに対応するアーム受け５３２から解除する。したがって、選択されたボタン５のピン５８１は、第１ばね１２により縦溝４２の上半部に移動される。
【００２７】
さらに、ボタン５の動きに関して、次のことを留意すべきである。選択されたボタン５が固定され、すなわち数列が決定されかつ固定されて組み合わせ錠が施錠状態となった後、でたらめな数列による組み合わせ錠の開錠へのあらゆる不正の試みは、間違ったボタン５のピン５８１を縦溝４２の下半部へ動かし、組み合わせ錠をさらに施錠状態に置く。このような状態の下で、図６に示すように、いくつかのピン５８１は縦溝４２の上部に留まり、またいくつかのピン５８１は縦溝４２の下部に留まる。
【００２８】
したがって、図７を参照して、使用者が先に施錠した組み合わせ錠を開けようとするとき、使用者は、縦溝４２と横溝４３との継ぎ目に間違って押されたボタン５のピン５８１を戻すように復帰ロッド７を押す必要がある。それから、使用者は組み合わせ錠を開錠すべく正しい組み合わせを使用する。さもなければ、使用者が正しい数列を使用しても組み合わせ錠を開錠することはできない。
【００２９】
すべての数列が消された状態において、使用者がロッカーを管理者に戻した後、図８，９に示すように、管理者は、コア６３をローターと本体６２との組み合わせから分離するために、マスターキー６４をコア６３のキーホール６３１に差し込むことができる。その後、使用者は、第２ブロック６３２を同時に動かすようにコア６３を回すことができる。第２ブロック６３２の回転により、第２ブロック６３２はフレーム３を制限座４に関して動かし、第２切欠３３がボタン５のボール５７と整合するように、フレーム３と係合する。ボール５７と第２切欠３３との整合の後、ピン５８が縦溝４２の上部に留まるボタン５の第４複座ばね５７１は、すべてのピン５８１を縦溝４２と横溝４３との継ぎ目に戻すためのばね力を与える。
【００３０】
上記から明らかなように、使用者は、組み合わせ錠の使用後に数字の組み合わせが不正に複写されて盗難にあう心配なしに、本考案にかかる組み合わせ錠を安全に使用することができる。組み合わせ錠の使用時、使用者は所持品を守るために数字の組み合わせを任意に選ぶことができ、組み合わせ錠が使用された後は管理者が数字の組み合わせを再設定することができ、その結果使用者は好みの数列を自由に選択することができる。
【００３１】
先に設定された数列がいずれかの数列を入力することによって組み合わせ錠を開錠しようとする企てによって変更されても、復帰ロッド７を押すことが不正確に押された数を再設定し、使用者はなお正しい数列を入力することにより組み合わせ錠を開錠することができる。
【図面の簡単な説明】
【００３２】
【図１】本考案に係る組み合わせ錠の斜視図。
【図２】図１に示した組み合わせ錠の分解斜視図。
【図２Ａ】前記組み合わせ錠を構成する復帰座の分解斜視図。
【図２Ｂ】前記組み合わせ錠を構成するボタンの分解斜視図。
【図２Ｃ】前記組み合わせ錠を構成するノブの分解斜視図。
【図３Ａ】前記組み合わせ錠の最初の状態を示す概略的な頂面図。
【図３Ｂ】アームとボタンとの関係を示す概略的な横断当接面図。
【図３Ｃ】ボタン内のボールの位置を示す概略的な横断当接面図。
【図４Ａ】ボタンがケーシングに関して下方へ押し下げられた後アーム受けに受け入れられたアームを示す概略的な横断当接面図。
【図４Ｂ】フレームの頭部が凹所から離れ、第１のブロックが前記頭部と係合している状態を示す概略的な頂面図。
【図４Ｃ】ノブが最初の位置から第２位置へ反時計方向に回転された後の結果を示す概略的な頂面図。
【図４Ｄ】前記頭部がノブの第１ブロックの凹所に受け入れられた状態を示す概略的な頂面図。
【図４Ｅ】第２ブロックを前記頭部に契合させるために頭部が第２の位置から第３の位置へ回転した状態を示す概略的な頂面図。
【図５】ピンの位置を示す概略的な横断当接面図。
【図６】数列が決定されかついくつかのボタンが不正確に押された後のピンの位置を示す概略的な横断当接面図。
【図７】復帰ロッドの動きが数列を決定させることを示す概略的な横断当接面図。
【図８】マスターキーの挿入がコアの回転駆動を可能にすることを示す概略的な頂面図。
【図９】すべてのボールがフレームの第２切欠に受け入れられ、ユーザーによる数列のリセットが可能になることを示す概略的な頂面図。
【符号の説明】
【００３３】
１  ケーシング
３  フレーム
４  制限座
４２  縦溝
４３  横溝
５  ボタン
６、５８１  ノブ
６１  ローター
６２  本体
６３  コア
６２１  第１ブロック
６３２  第２ブロック
１２  第１ばね
２１２  第１複座ばね
３３  切欠
３４  当接面
３５  ２複座ばね
４４  第３複座ばね
５３  円柱
５４  ブロック
５５  チャンネル
５６  開口
５４１  制限孔  
５８  ストッパー
５７１  第４複座ばね
２１４  アーム
５３２  アーム受け
６２２  凹所
４１  頭部
５４１  制限孔
５８１  ピン
２１５  くさび形凹所
７１  くさび形頭部
６４  マスターキー
【図１】
0003120196.tif 000003
【図２】
0003120196.tif 000004
【図２Ａ】
0003120196.tif 000005
【図２Ｂ】
0003120196.tif 000006
【図２Ｃ】
0003120196.tif 000007
【図３Ａ】
0003120196.tif 000008
【図３Ｂ】
0003120196.tif 000009
【図３Ｃ】
0003120196.tif 000010
【図４Ａ】
0003120196.tif 000011
【図４Ｂ】
0003120196.tif 000012
【図４Ｃ】
0003120196.tif 000013
【図４Ｄ】
0003120196.tif 000014
【図４Ｅ】
0003120196.tif 000015
【図５】
0003120196.tif 000016
【図６】
0003120196.tif 000017
【図７】
0003120196.tif 000018
【図８】
0003120196.tif 000019
【図９】
0003120196.tif 000020